Podtech/llm-jp-corpus-v4-ja_patent huggingface dataset:
【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
患者の脈管構造内でフィルタの配置を案内するシステムであって、
近位端及び遠位端を有する送達デバイスであって、前記送達デバイスの遠位部分が、配置される前記フィルタを受け取るように構成される、送達デバイスと、
前記送達デバイスの前記遠位端に配設された血管内超音波トランスデューサと、
手術処置に従って前記フィルタを配置するための挿入部位と宛先部位とを含む手術処置に関する入力を受信するように構成されるインターフェースと、
ディスプレイと、
プロセッサと、
を備え、
前記プロセッサは、
前記手術処置に従って前記フィルタを配置するための前記挿入部位と前記宛先部位とを含む、前記手術処置に関する前記インターフェースからの入力を受信し、
前記挿入部位と前記宛先部位との間の解剖学的標識点を決定し、
前記血管内超音波トランスデューサから血管内超音波信号を受信し、
前記血管内超音波信号を処理して画像にし、
前記画像を前記ディスプレイに送信する
ようにプログラムされる、システム。
【請求項２】
前記インターフェースは、前記手術処置に従って前記フィルタを配置するための前記挿入部位と前記宛先部位とを含む前記手術処置に関するオペレータからの入力を受信するように構成されたユーザインターフェースを含む、請求項１に記載のシステム。
【請求項３】
前記送達デバイスは、
近位端及び遠位端を有するガイドワイヤと、
近位端、遠位端、及び管腔を有するシースと、
を備え、
前記シースの前記管腔は、前記ガイドワイヤを受け取るように構成され、前記シースの遠位部分が、配置される前記フィルタを受け取るように構成される、
請求項１に記載のシステム。
【請求項４】
前記プロセッサは、さらに、
前記画像内で任意の解剖学的標識点を識別し、
表示された前記画像内の前記解剖学的標識点にタグ付けする
ようにプログラムされる、請求項１に記載のシステム。
【請求項５】
前記プロセッサは、前記画像内の前記の識別された解剖学的標識点に基づいて前記フィルタの位置を決定するようにさらにプログラムされる、請求項４に記載のシステム。
【請求項６】
前記プロセッサは、前記位置が前記宛先部位であるかを判断するようにさらにプログラムされる、請求項５に記載のシステム。
【請求項７】
前記送達デバイスは、前記送達デバイスの前記遠位端の近くに位置する圧力センサを含んで、その位置で圧力を測定する、請求項１に記載のシステム。
【請求項８】
前記プロセッサは、さらに、
前記の測定された圧力を前記圧力センサから受信し、
前記の測定された圧力に基づいて前記フィルタの配置に関する推奨を提供する
ようにプログラムされる、請求項７に記載のシステム。
【請求項９】
前記プロセッサは、さらに、
位置が前記宛先部位であると判断されたとき、視覚インジケータを前記ディスプレイに送信する
ようにプログラムされる、請求項４に記載のシステム。
【請求項１０】
前記視覚インジケータは色分けされている、請求項９に記載のシステム。
【請求項１１】
前記プロセッサは、さらに、
前記の処理された血管内超音波撮像信号を使用して解剖学的標識点に関する前記フィルタの向きを決定する
ようにプログラムされる、請求項１に記載のシステム。
【請求項１２】
前記プロセッサは、さらに、
前記フィルタの前記の決定された向きに基づいて、前記フィルタの前記配置を調節するための命令を生成する
ようにプログラムされる、請求項１１に記載のシステム。
【請求項１３】
視覚インジケータ、又は向きの決定、又は調節するための命令の生成は、前記フィルタの１つ又は複数のエコー源性特性から取得される情報に基づいて行われる、請求項１０、１１、又は１２のうちいずれか１項に記載のシステム。
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
泡立てられたミルクの調製のための器具（１）であって、ミルクを受けるための容器（３）を備え、飲料調製機（１０１）への接続のためのドッキング要素によって特徴付けられ、前記ドッキング要素は、
−前記飲料調製機によって送給される蒸気のための接続部と、
−泡立てられたミルクのためのミルク泡沫出口（２８）とを含み、
−前記ドッキング要素は、複数個の流体チャネル（９２、９３、９５、９６、９９）を伴う主本体（２５）と、前記主本体から可逆的に取外し可能な補足部品（２７）とを含み、前記補足部品は、前記主本体に比較してより軟質の材料を含み、前記補足部品は、連続的であり、およびいくつかの要素（２８、８２〜８９）を含み、それらの要素を通して、ミルク、蒸気、水および／または空気が流れ得、それらの要素は前記流体チャネル内に係合する、泡立てられたミルクの調製のための器具（１）。
【請求項２】
前記補足部品（２７）は、弾性的に変形可能な材料から１つのピースとして設計される、請求項１に記載の器具。
【請求項３】
前記補足部品（２７）はシリコーン部品である、請求項２に記載の器具。
【請求項４】
前記補足部品（２７）は、少なくとも部分的に前記主本体（２５）を取囲む態様で配置され、およびこれから解かれることができる、請求項１〜３のいずれか１つに記載の器具。
【請求項５】
前記補足部品（２７）は、広範囲の、または２次元的にフレーム状のベースと、この上に一体的に形成され、流れが通過することができる前記要素（２８、８２〜８９）とを含む、請求項４に記載の器具。
【請求項６】
前記ベースは、ジョイント（８１）が間に配置された平坦なセクション（８０）から形成される、請求項５に記載の器具。
【請求項７】
通過流要素（８７、８８、８９）の少なくとも１つは、ノズルおよび／またはバルブである、請求項１〜６のいずれか１つに記載の器具。
【請求項８】
一方で前記ミルク泡沫出口（２８）と他方で前記蒸気のための接続部を含む前記ドッキング要素の端面（２９）の面との間の距離が、最大２．５ｃｍである、請求項１〜７のいずれか１つに記載の器具。
【請求項９】
前記主本体（２５）はプラスチック射出成形された部品として設計される、請求項１〜８のいずれか１つに記載の器具。
【請求項１０】
ミルクを送給するおよび／または泡立たせるための電気的に動作される駆動手段を備え、前記ドッキング要素は、前記駆動手段の動作のために、前記飲料調製機によって供給される電流のためのインターフェイス（９８）を含む、請求項１〜９のいずれか１つに記載の器具。
【請求項１１】
混合ノズル（７９）を備え、そこで蒸気はミルクおよび空気と共にされ得、前記混合ノズルは、前記ドッキング要素において配置され、少なくとも部分的に前記補足部品（２７）によって形成される、請求項１〜１０のいずれか１つに記載の器具。
【請求項１２】
前記混合ノズルは、前記ミルク泡沫出口（２８）の直接上に配置される、請求項１１に記載の器具。
【請求項１３】
請求項１〜１２のいずれか１つに記載の器具と、ホット飲料の調製のための、および前記器具の接続のための飲料調製機とを備え、前記飲料調製機は、蒸気接続部上に結合するための、蒸気のための送給位置（１１１）を備える、飲料調製システム。
【請求項１４】
前記飲料調製機は、ホット飲料のための飲料出口（１０５）と飲用容器のための配置プラットフォーム（１０３）とを備え、前記器具が前記飲料調製機上にドッキングした状態で、前記ミルク泡沫出口（２８）および前記飲料出口（１０５）が鉛直方向において前記配置プラットフォーム（１０３）より上に配置される、請求項１３に記載の飲料調製システム。
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
飲料調製機（１０１）上にドッキングすることができ、泡立てられたミルクの調製のための器具（２）であって、前記飲料調製機によって生成される蒸気のための接続部と、入口側でミルク供給導管および空気供給路に接続されるギヤポンプ（７）を有するミルク泡立ユニット（５）とを備え、前記ギヤポンプを動作させるために前記飲料調製機から送給される電流のためのインターフェイス（９８）によって特徴付けられ、動作パラメータが測定値および／またはユーザ入力に依存する態様で調整可能なように、前記ミルク泡立ユニットが設計されることにおいて特徴付けられる、器具（２）。
【請求項２】
前記飲料調製機にある活性化部（１９５）によって活性化されるよう設計される、請求項１に記載の器具。
【請求項３】
前記ギヤポンプを活性化するよう、および前記動作パラメータを前記ユーザ入力および／または前記測定値に依存する態様で設定するよう設計される活性化部（１９５）を備える、請求項１に記載の器具。
【請求項４】
前記活性化部は前記飲料調製機の電子機器ユニット（１２１）と通信する接続状態にあるよう設計され、その電子機器ユニットを介して前記ユーザ入力が行なわれる、請求項３に記載の器具。
【請求項５】
前記測定値または前記測定値の１つは、前記飲料調製機に挿入され、前記測定値によって認識されるカプセルの特性である、請求項１〜４のいずれか１つに記載の器具。
【請求項６】
前記動作パラメータまたは前記動作パラメータの１つはギヤポンプ速度である、請求項１〜５のいずれか１つに記載の器具。
【請求項７】
前記動作パラメータまたは前記動作パラメータの１つは前記空気供給路を通して供給される空気の流れである、請求項１〜５のいずれか１つに記載の器具。
【請求項８】
前記空気供給路はバルブユニット（２０）を含み、それは、調整可能であり、可変であり、および能動的なバルブ断面を含む、請求項７に記載の器具。
【請求項９】
前記バルブユニット（２０）は、互いから独立して活性化されることができる複数個のバルブ要素を含む、請求項８に記載の器具。
【請求項１０】
混合ノズル（７９）を備え、その中に、前記接続部を介して供給される蒸気、および前記ギヤポンプによって送給される泡立てられたまたは泡立てられないミルクが入る、請求項１〜９のいずれか１つに記載の器具。
【請求項１１】
空気供給路は、前記接続部を通る蒸気の供給で、前記混合ノズル（７９）において真空のために自動的に開くバルブ（８８）を含み、前記真空はこの蒸気の供給により生成される、請求項１０に記載の器具。
【請求項１２】
前記ミルク泡立ユニット（５）はハウジング（１１、１４、１６）を含み、それによってギヤポンプチャンバが形成され、前記チャンバは封止部（２１）によって底部に画定され、前記封止部は、吸引されたミルクのための少なくとも１つのバルブ開口（４２）を有する連続的な物体として設計される、請求項１〜１２のいずれか１つに記載の器具。
【請求項１３】
請求項１〜１２のいずれか１つに記載の器具、および前記器具をその上に結合することができる飲料調製機を備える、飲料調製システム。
【請求項１４】
前記飲料調製機は、前記器具の空気接続部（１５１）を介して前記空気供給路に接続される、電子的に制御されるバルブユニットを備える、請求項１３に記載の飲料調製システム。
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
飲料調製機（１０１）上にドッキングすることができ、泡立てられたミルクの調製のための器具（２）であって、前記飲料調製機によって生成される蒸気のための接続部と、入口側でミルク供給導管および空気供給路に接続されるギヤポンプ（７）を有するミルク泡立ユニット（５）とを備え、前記ギヤポンプを動作させるために前記飲料調製機から供給される電流のためのインターフェイス（９８）、および前記ギヤポンプによって送給されるミルクの通路上の混合ノズル（７９）によって特徴づけられ、前記ミルク、前記蒸気、および前記空気は、前記混合ノズル（７９）に供給することができる、器具。
【請求項２】
前記混合ノズル（７９）の設計は、前記接続部から流入する蒸気が吸引効果を達成し、空気がこの吸引効果のために前記混合ノズル内に吸引されるように行なわれる、請求項１に記載の器具。
【請求項３】
前記混合ノズルへの空気供給路はバルブ（８８）を備え、それは、流入蒸気を与えられ、前記混合ノズルにおける真空のため、自動的に開き、前記真空はこの流入蒸気により形成され、前記吸引効果を達成する、請求項２に記載の器具。
【請求項４】
前記バルブ（８８）はダックビルバルブである、請求項３に記載の器具。
【請求項５】
前記接続部から流入する蒸気が、前記混合ノズルに流れ込むミルクに作用する吸引効果を達成するように、前記混合ノズル（７９）は設計される、請求項１〜４のいずれか１つに記載の器具。
【請求項６】
前記混合ノズル（７９）は、前記ミルクの流れ方向において前記ギヤポンプ（７）の下流に配置される、請求項１〜５のいずれか１つに記載の器具。
【請求項７】
前記混合ノズルは、ミルク泡沫出口（２８）の直接上に配置され、その出口を通して、前記泡立てられたミルクが前記器具から出る、請求項６に記載の器具。
【請求項８】
前記ギヤポンプへの前記空気供給路は選択的にこれを閉じるために手段を設けられる、請求項１〜７のいずれか１つに記載の器具。
【請求項９】
前記空気供給路の前記選択的な閉鎖のための前記手段は活性化可能なバルブユニット（２０）を備え、その空気は、さらに、前記バルブユニット（２０）を介して前記混合ノズル（７９）に供給することができる、請求項８に記載の器具。
【請求項１０】
前記ギヤポンプを有するミルク泡立ユニット（５）を備え、前記ミルク泡立ユニット（５）はハウジング（１１、１４、１６）を備え、それによってギヤポンプチャンバが形成され、前記チャンバは封止部（２１）によって底部に画定され、前記封止部は、吸引されたミルクのための少なくとも１つのバルブ開口（４２）を有する連続的な物体として設計される、請求項１〜９のいずれか１つに記載の器具。
【請求項１１】
前記飲料調製機によって送給される水および／または蒸気のためのさらなる接続部を備え、流れ方向における前記ギヤポンプ（７）の上流の位置への導管（３２）が、このさらなる接続部から至る、請求項１〜１０のいずれか１つに記載の器具。
【請求項１２】
ミルクを受けるための容器（３）、および前記ギヤポンプ（７）を伴うミルク泡立ユニット（５）を備え、前記ミルク泡立ユニット（５）および前記容器（３）は、それらの外形に関して、互いに一致され、前記ミルク泡立ユニットを、前記容器（３）上に、これを閉鎖する態様で配置することができるようにされる、請求項１〜１１のいずれか１つに記載の器具。
【請求項１３】
前記容器上（３）に配置された前記ミルク泡立ユニット（５）上に、および直接前記容器（３）上に適合する蓋を備える、請求項１２に記載の器具。
【請求項１４】
請求項１〜１３のいずれか１つに記載の器具、および前記器具をその上に結合することができる飲料調製機を備える、飲料調製システム。
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
食料品、特に飲料の調製用のディスペンサでの使用のための使い捨て消耗品であって、前記使い捨て消耗品は、
液体に対して不浸透性である少なくとも１つの剛性壁部を備える筐体と、
前記使い捨て消耗品がディスペンサに挿入されるときに加圧水を前記筐体内に流入できる第１入口部と、
前記ディスペンサ内の前記食料品を処理するときに補助流体流、特に空気流を前記筐体内に流入できる第２入口部と、
処理された前記食料品を前記筐体から流出できる少なくとも１つの出口部と、
前記筐体内に配置される少なくとも１つの収容チャンバであって、食品物質、特に挽いた物質を収容する少なくとも１つの収容チャンバと、
少なくとも１つの流れ処理チャンバであって、当該流れ処理チャンバを通って流れる前記食品物質から得られる液体溶液を処理する少なくとも１つの流れ処理チャンバと、
前記収容チャンバと前記流れ処理チャンバとの間に配置された流れ伝達壁であって、前記流れ処理チャンバと前記収容チャンバとを接続する規定された流れ開口を備える流れ伝達壁と、を備える、使い捨て消耗品において、
前記第１入口部は前記収容チャンバに接続され、
前記第２入口部は、前記食料品を処理するとき前記流れ処理チャンバを流れる液体食料流によって補助流体流が同伴されるように、前記流れ処理チャンバに接続されることを特徴とする、使い捨て消耗品。
【請求項２】
前記食料品はコーヒーベースであり、前記食品物質は挽いたコーヒーを備え、前記流れ処理チャンバはコーヒーベースの液体と気泡との混合物を備える泡状クリーム層を生成する、請求項１に記載の使い捨て消耗品。
【請求項３】
前記流れ処理チャンバは、前記収容チャンバから離れる方向に向いている前記流れ伝達壁の出口側に配置された泡立て空洞を備え、前記泡立て空洞は、壁部と、基本的に環状又は円形の出口導管を規定する出口を備える、請求項１に記載の使い捨て消耗品。
【請求項４】
前記流れ伝達壁の前記流れ開口は、前記泡立て空洞の前記出口導管よりもかなり小さく、出口導管面積と流れ開口面積との比は、３：１より大きく、好ましくは５：１より大きい、請求項３に記載の使い捨て消耗品。
【請求項５】
前記流れ処理チャンバは、前記流れ開口の中心軸によって規定される方向に整列した少なくとも１つの泡立て部材を備え、前記少なくとも１つの泡立て部材は、前記流れ開口を通って前記流れ処理チャンバに入る加圧された液体食料流の噴流を処理して液体食料のミストを生成する、請求項１に記載の使い捨て消耗品。
【請求項６】
前記泡立て部材は、前記流れ伝達壁に面するインパクト面を備えるインパクトヘッドを備え、前記インパクトヘッドは、前記流れ処理チャンバの壁部から少なくとも部分的に離れており、それにより、少なくとも部分的に環状の出口導管を規定する、請求項５に記載の使い捨て消耗品。
【請求項７】
前記泡立て部材は、前記流れ処理チャンバの壁部と実質的に円形の出口導管との間に配置された基本的に環状のインパクト面を備える、請求項５に記載の使い捨て消耗品。
【請求項８】
複数の膨出部が、前記収容チャンバに面する前記流れ伝達壁の側に配置され、前記収容チャンバ内の前記食品物質は、前記複数の膨出部に当接するフィルタウェブによって保持されて、加圧された液体溶液が、前記フィルタウェブを通って流れ、前記流れ伝達壁の前記流れ開口に導かれるようになっている、請求項１に記載の使い捨て消耗品。
【請求項９】
円形のパターンのリブが、前記収容チャンバに面する前記流れ伝達壁の側部に配置され、前記収容チャンバ内の前記食品物質は、前記リブのパターンに当接するフィルタウェブによって保持されて、加圧された液体溶液が前記フィルタウェブを通って流れ、前記流れ伝達壁の前記流れ開口に導かれ、前記加圧された液体溶液が前記リブのパターンによって旋回される、請求項１に記載の使い捨て消耗品。
【請求項１０】
前記流れ処理チャンバは、前記流れ伝達壁の前記流れ開口と整列する泡立て空洞を規定し、前記泡立て空洞は、拡幅区域と、前記流れ開口から離れて面する端部において、狭細区域とを規定する、請求項１に記載の使い捨て消耗品。
【請求項１１】
前記筐体の前記少なくとも１つの剛性壁部は、金属材料又はプラスチック材料から作製され、基本的に回転対称的な形で成形されて、前記第１入口部に関連する第１の端部と、前記出口部に関連する第２の端部とを規定し、前記流れ伝達壁は、前記筐体に、好ましくは前記筐体の中央部分に配置され、前記流れ伝達壁は、前記筐体の中心軸に対して基本的に垂直に延出し、前記使い捨て消耗品は、前記流れ処理チャンバの容積を画定し補助流を前記流れ処理チャンバに案内するインサート部品を備える、請求項１に記載の使い捨て消耗品。
【請求項１２】
前記インサート部品が、前記第２入口部と前記流れ処理チャンバとの間に少なくとも１つの補助流経路をさらに規定し、前記第２入口部が、前記筐体の領域、好ましくは、前記第１入口部が設けられた領域とは異なる前記筐体の縁領域に配置される、請求項１１に記載の使い捨て消耗品。
【請求項１３】
食料品を調製するためのディスペンサ用の処理ユニットであって、前記処理ユニットは、
消耗品を受け入れるための少なくとも第１の受け入れ部と、
少なくとも部分的に密閉された状態で前記消耗品を受け入れるために前記少なくとも１つの第１の受け入れ部と協働する少なくとも第１の密閉部と、を備え、
前記第１の受け入れ部及び前記第１の密閉部のうちの少なくとも１つが、前記消耗品を挿入及び除去するように作動可能であり、
加圧された水が供給されることができる入口導管に連結された第１入口係合ユニットであって、前記消耗品の食料品を処理するために前記消耗品の第１入口部に係合するように動作可能である第１入口係合ユニットと、
処理済み食料品が筐体から流出することを可能にするために、前記消耗品の出口部と係合するように動作可能である出口係合ユニットと、
前記食料品を処理する際に補助流体流、特に空気流を前記消耗品へと流入可能にするために前記消耗品の第２入口部に係合するように動作可能な第２入口係合ユニットであって、前記補助流体流は、前記食料品を加工する際に前記消耗品の流れ処理チャンバを通って流れる液体食料流によって同伴される、第２入口係合ユニットと、をさらに備える、処理ユニット。
【請求項１４】
前記第１入口係合ユニット及び前記出口係合ユニットのうちの少なくとも１つは、流体流が通って伝達される内部導管を具備する穿孔器を備える、請求項１３に記載の処理ユニット。
【請求項１５】
前記第２入口係合ユニットが、前記補助流体を前記消耗品に流入できるように、選択的に作動可能である、請求項１３に記載の処理ユニット。
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
電動式口腔ケア装置であって、当該電動式口腔ケア装置は、
モータ及び該モータに結合される駆動シャフトを有するハンドルと、
ヘッド・アッセンブリであって、該ヘッド・アッセンブリは、アーム部、前記ヘッド・アッセンブリを前記駆動シャフト上に配置可能に構成した結合部、及び前記アーム部の先端部に設けられた口腔ケア・アッセンブリを有する、ヘッド・アッセンブリと、を備えており、
前記口腔ケア・アッセンブリは、流体を保持するように構成された流体カプセル部材を含み、前記口腔ケア・アッセンブリは、前記アーム部の前記先端部の第１側に設けられた前記流体カプセル部材を有しており、該流体カプセル部材は、リザーバを規定する上部及び略平坦な底壁部を含み、該底壁部は、前記底壁部を貫通して設けられた複数の第１開口部を有しており、前記口腔ケア・アッセンブリは、平坦な壁部を規定する外壁部をさらに含み、前記平坦な壁部は、該平坦な壁部を貫通して設けられた複数の第２開口部を有しており、第１開口部は第２開口部と略整列しており、前記口腔ケア・アッセンブリは、前記モータによって与えられた運動に応答して、前記リザーバから前記複数の第１開口部及び前記複数の第２開口部を介して前記口腔ケア・アッセンブリの外へ前記流体を分配するように構成される、
電動式口腔ケア装置。
【請求項２】
前記流体カプセル部材は、前記平坦な底壁部に結合されるリップ部材をさらに含み、該リップ部材は、前記口腔ケア・アッセンブリに設けられた凹部内に受容されるように構成される、請求項１に記載の電動式口腔ケア装置。
【請求項３】
流れ調整部材が、前記リップ部材によって規定された空間内に前記流体カプセル部材の一部として設けられる、請求項２に記載の電動式口腔ケア装置。
【請求項４】
前記流体カプセル部材は、前記口腔ケア・アッセンブリに取外し可能に結合されるように構成される、請求項２に記載の電動式口腔ケア装置。
【請求項５】
前記流体カプセル部材が前記口腔ケア・アッセンブリ内に受容されたときに、チャンバが、前記平坦な壁部と前記平坦な底壁部との間に形成される、請求項１に記載の電動式口腔ケア装置。
【請求項６】
流れ調整部材が、前記口腔ケア・アッセンブリからの流体の流れを調整するのを補助するために前記チャンバ内に位置付けされる、請求項５に記載の電動式口腔ケア装置。
【請求項７】
前記平坦な壁部は、該平坦な壁部の外面に取り付けられ、且つ前記平坦な壁部の外面から外向きに延びる複数のブラシ毛を含む、請求項１に記載の電動式口腔ケア装置。
【請求項８】
前記ブラシ毛は、疎水性挙動を示すように構成される、請求項７に記載の電動式口腔ケア装置。
【請求項９】
前記流体カプセル部材の前記上部は、前記リザーバを補充するためのバルブ部材を含む、請求項１に記載の電動式口腔ケア装置。
【請求項１０】
モータ及び該モータに結合される駆動シャフトを有するハンドルと、該ハンドルに結合されるヘッド・アッセンブリとを有する口腔ケア装置のための口腔ケア・アッセンブリであって、当該口腔ケア・アッセンブリは、前記ヘッド・アッセンブリの先端部に結合するように構成されており、
前記口腔ケア・アッセンブリは、
平坦な壁部を規定する外壁部であって、前記平坦な壁部は、該平坦な壁部を貫通して設けられた複数の第２開口部を有する、外壁部と、
上部及び該上部に結合される略平坦な底壁部を含む流体カプセル部材であって、前記底壁部は、該底壁部を貫通して設けられた複数の第１開口部を有する、流体カプセル部材と、を備えており、
第１開口部は第２開口部と略整列しており、前記上部及び前記底壁部は、流体を保持するリザーバを規定し、前記流体カプセル部材は、前記ヘッド・アッセンブリが前記駆動シャフト上に配置されたときに、前記口腔ケア装置の前記モータによって与えられた運動に応答して、前記リザーバから前記複数の第１開口部及び前記複数の第２開口部を介して前記流体を分配するように構成される、
口腔ケア・アッセンブリ。
【請求項１１】
前記平坦な底壁部に結合されるリップ部材をさらに備えており、該リップ部材は、当該口腔ケア・アッセンブリに設けられた凹部内に受容されるように構成される、請求項１０に記載の口腔ケア・アッセンブリ。
【請求項１２】
流れ調整部材が、前記リップ部材によって規定された空間内に前記流体カプセル部材の一部として設けられる、請求項１１に記載の口腔ケア・アッセンブリ。
【請求項１３】
前記流体カプセル部材は、前記口腔ケア・アッセンブリに取外し可能に結合されるように構成される、請求項１１に記載の口腔ケア・アッセンブリ。
【請求項１４】
前記流体カプセル部材が当該口腔ケア・アッセンブリ内に受容されたときに、チャンバが、前記平坦な壁部と前記平坦な底壁部との間に形成される、請求項１０に記載の口腔ケア・アッセンブリ。
【請求項１５】
流れ調整部材が、当該口腔ケア・アッセンブリからの流体の流れを調整するのを補助するために前記チャンバ内に位置付けされる、請求項１４に記載の口腔ケア・アッセンブリ。
【手続補正書】
【提出日】平成30年9月11日(2018.9.11)
【手続補正１】
【補正対象書類名】特許請求の範囲
【補正対象項目名】全文
【補正方法】変更
【補正の内容】
【特許請求の範囲】
【請求項１】
生物に温熱療法を提供するための装置であって、
搬送波信号を発生するように構成された信号発生器と、
複数の同時に生成された周波数を備える変調信号を用いて前記搬送波信号を選択的に変調するように構成された信号変調器と、
前記変調した搬送波信号を前記生物の標的箇所に送達するように構成された放射体と、
を備える装置。
【請求項２】
前記搬送波信号は、高周波搬送波信号を備える、請求項１に記載の装置。
【請求項３】
前記搬送波信号は、パルス搬送波信号である、請求項１に記載の装置。
【請求項４】
前記信号発生器は、前記パルス搬送波信号のパルス繰り返し率を選択的に変化させるようにさらに構成されている、請求項３に記載の装置。
【請求項５】
前記信号発生器は、前記パルス搬送波信号のデューティサイクルを選択的に変化させるようにさらに構成されている、請求項３に記載の装置。
【請求項６】
前記搬送波信号の変調は、前記搬送波信号の周波数を変調することを備える、請求項１に記載の装置。
【請求項７】
前記変調信号は、約０．１Ｈｚから約５０ＫＨｚまでの間の複数の周波数を備える、請求項１に記載の装置。
【請求項８】
前記変調信号は、音声信号を備える、請求項１に記載の装置。
【請求項９】
前記信号変調器は、前記温熱療法の提供中に前記搬送波信号を変調する前記変調信号を変化させるようにさらに構成されている、請求項１に記載の装置。
【請求項１０】
前記生物は、ヒト、動物、または植物を含む、請求項１に記載の装置。
【請求項１１】
前記変調信号の複数の周波数は、前記標的箇所における物質の共振周波数にしたがって選択される、請求項１に記載の装置。
【請求項１２】
前記放射体の使用パラメータを監視するように構成された使用モニタと、
前記監視される使用パラメータが所定の閾値に到達したときに前記放射体のさらなる使用を自動的に防止するように構成された遮断装置と、
をさらに備える、請求項１に記載の装置。
【請求項１３】
前記使用パラメータは、前記放射体の合計使用時間を備える、請求項１２に記載の装置。
【請求項１４】
前記使用パラメータは、前記放射体のオン／オフサイクル数を備える、請求項１２に記載の装置。
【請求項１５】
前記放射体は、アプリケータアンテナを備える、請求項１に記載の装置。
【請求項１６】
前記放射体は、前記生物の表面に適用されるように構成されている、請求項１に記載の装置。
【請求項１７】
遠隔制御装置と通信するための無線通信装置をさらに備え、
前記遠隔制御装置によって前記無線通信装置に送信された命令を受信し、これにしたがって動作するように構成されている、請求項１に記載の装置。
【請求項１８】
使用しているときに前記温熱療法が前記生物に送達されるようになっている家具である、請求項１に記載の装置。
【請求項１９】
着用しているときに前記温熱療法が前記生物に送達されるようになっている衣類である、請求項１に記載の装置。
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
注射装置であって、該注射装置は、
遠位末端に中空針を有する細長い本体；
針を通して送達される注入材料用の容器；
装置の遠位末端に取り付けられ針管腔を密封する末端要素；および、
前記注入材料および末端シールに注入力を与え、第１の力要素を有するプランジャー；
を備える注射装置であって、
末端要素は、組織接点および末端シールを備え、末端シールは、装置の遠位末端で組織表面に圧力を加えることにより、針の先端により貫通され；
貫通された末端要素は針の上を摺動可能となり、針を組織内に前進させ；および、
貫通された末端シールは、針の遠位末端からの注入材料の流入または送達のための経路を開く；
注射装置
【請求項２】
さらに注入材料を備える請求項１に記載の装置であって、注入材料が流動性材料であり、組織接点は注射部位における針路のシールを与え、末端要素は針軸の周囲に液密シールを与える装置。
【請求項３】
容器が、針の管腔内および装置の本体内にある、請求項１または２に記載の注射装置。
【請求項４】
容器を充填するための流路が、容器からプランジャーを介してコネクタ、弁および／または隔壁に与えられる、請求項１〜３のいずれか１項に記載の注射装置。
【請求項５】
流路が、コネクタ、弁および／または隔壁を介する容器からの流出を防止するための一方向弁を備える、請求項４に記載の注射装置。
【請求項６】
容器と近位コネクタとの間に流路が設けられ、流路は、容器を加圧するために容器に注入材料を充填することを可能にするように構成された逆止弁を備える、請求項４または５に記載の注射装置。
【請求項７】
注入材料が、固体または半固体である注入材料をさらに含む、請求項１〜６のいずれか１項に記載の装置。
【請求項８】
容器が、針の管腔内にある、請求項１、２または７に記載の注射装置。
【請求項９】
容器が、針の管腔内および装置本体への針の伸長部にある、請求項１、２または７に記載の注射装置。
【請求項１０】
装置の本体と末端要素との間に第２の力要素をさらに備え、針の先端による末端シールの貫通中に、末端要素に前方に向けられた力を与えるように構成される、請求項１〜９のいずれか１項に記載の装置。
【請求項１１】
装置の本体と末端要素との間に折り畳み可能要素をさらに備え、注入力による末端要素の遠位移動を防止するように構成され、組織への針の前進中に、末端要素の近位移動を可能にする、請求項１〜１０のいずれか１項に記載の装置。
【請求項１２】
折り畳み可能要素が細長い支柱を備える、請求項１１に記載の装置。
【請求項１３】
折り畳み可能要素がニチノールを含む、請求項１１または１２に記載の装置。
【請求項１４】
装置の本体と末端要素との間に折り畳み可能要素をさらに備え、針の先端による末端シールの貫通中に、末端要素に前方に向けられた力を与えるように構成される、請求項１〜１３のいずれか１項に記載の装置。
【請求項１５】
折り畳み可能要素が初期力の後に一定の力を与えるように構成され、初期力は、末端要素が針に沿って近位方向に移動する初めの0.5 mmの間に加えられるように構成される、請求項１４に記載の注射装置。
【請求項１６】
末端要素が、組織接点と眼の表面との接触を促進するように構成された摩擦要素をさらに備える、請求項１〜１５のいずれか１項に記載の装置。
【請求項１７】
組織接点および末端シールが管状の末端筺体上に取り付けられる、請求項１〜１６のいずれか１項に記載の装置。
【請求項１８】
筺体と針との間で圧縮され、筺体を密閉する弾性要素をさらに備える、請求項１７に記載の装置。
【請求項１９】
第１および／または第２の力要素がばねである、請求項１〜１８のいずれか１項に記載の注射装置。
【請求項２０】
第１の力要素が、プランジャーに機械的に連結されたばねである、請求項１９に記載の注射装置。
【請求項２１】
第１および／または第２の力要素が加圧ガスである、請求項１〜２０のいずれか１項に記載の注射装置。
【請求項２２】
末端要素が、ゴムまたはエラストマー末端要素を含む、請求項１〜２１のいずれか１項に記載の注射装置。
【請求項２３】
末端要素が、弾性的に圧縮可能である、請求項１〜２２のいずれか１項に記載の注射装置。
【請求項２４】
装置への注入用材料の挿入が力要素を作動させ、注入用材料に注入力を与える、請求項１〜２３のいずれか１項に記載の注射装置。
【請求項２５】
装置の外部から力要素を圧縮する機構によって、注入力を作動させる、請求項１〜２４のいずれか１項に記載の注射装置。
【請求項２６】
使用前に力要素が束縛され、束縛された力要素を機械的に解放することにより注入力を作動させる、請求項１〜２５のいずれか１項に記載の注射装置。
【請求項２７】
1〜4 mmの針の有効全長を有する、上脈絡膜腔または上毛様体腔への材料の注入のための、請求項１〜２６のいずれか１項に記載の注射装置。
【請求項２８】
10〜15 mmの針の有効全長を有する、硝子体腔への材料の注入のための、請求項１〜２７のいずれか１項に記載の注射装置。
【請求項２９】
0.35〜2 mmの針の有効全長を有する、結膜下腔への材料の注入のための、請求項１〜２８のいずれか１項に記載の注射装置。
【請求項３０】
針斜角が末端シールと一直線になるように、末端シールが、末端要素の管腔中で相補的な斜角を持つように設計される、請求項１〜２９のいずれか１項に記載の注射装置。
【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
毒素及び／又は病原体に感染した個体の血液から前記毒素及び／又は病原体を体外で除去する携帯型及び／又は装着型デバイスであって、前記デバイスはカートリッジを備え、前記カートリッジは吸着媒体を備え、前記吸着媒体は、前記毒素及び／又は病原体に対する結合親和性又は結合部位を持つ少なくとも一つの多糖類吸着剤を面上に有する高表面積の固体基板であり、血流が前記吸着媒体に接触すると、前記毒素及び／又は病原体が前記少なくとも一つの多糖類吸着剤上の結合部位に結合して血液から分離される、前記携帯型及び／又は装着型デバイス。
【請求項２】
携帯型及び／又は装着型体外血液潅流デバイスであって、
第一のエンドプレート及び第二のエンドプレートを有する、吸着媒体を備えるカートリッジ、血液を前記デバイスへ流入させるための血液流入口、及び血液を前記デバイスから流出させるための血液流出口を備え、前記血液は前記第一のエンドプレートから前記吸着媒体へと流れて前記血液流出口から流出する、前記デバイス。
【請求項３】
さらにポンプを備える、請求項１又は２に記載の携帯型及び／又は装着型デバイス。
【請求項４】
前記ポンプがロータリーポンプである、請求項３に記載の携帯型及び／又は装着型デバイス。
【請求項５】
さらに電源又は電子制御モジュールを備える、請求項１又は２に記載の携帯型及び／又は装着型デバイス。
【請求項６】
前記電源又は前記電子制御モジュールが取外し可能である、請求項５に記載の携帯型及び／又は装着型デバイス。
【請求項７】
前記少なくとも一つの多糖類吸着剤が、ヘパリン、ヘパラン硫酸、ヒアルロン酸、シアル酸、マンノース配列を有する炭水化物、キトサン及びそれらの組み合わせから成る群から選択される、請求項１に記載の携帯型及び／又は装着型デバイス。
【請求項８】
前記固体基板が複数の硬質ポリマービーズを備える、請求項１に記載の携帯型及び／又は装着型デバイス。
【請求項９】
前記固体基板が、一つ又は複数の中空ファイバーを備える、請求項１に記載の携帯型及び／又は装着型デバイス。
【請求項１０】
前記デバイスが装着型である、請求項１又は２に記載の携帯型及び／又は装着型デバイス。
【請求項１１】
前記デバイスが血液バッグである、請求項１に記載の携帯型及び／又は装着型デバイス。
【請求項１２】
前記第一のエンドプレートが多孔質であるか、あるいは、前記第二のエンドプレートが多孔質である、請求項２に記載の携帯型及び／又は装着型デバイス。
【請求項１３】
前記血液流入口及び前記血液流出口に適合するデュアルルーメンカテーテルをさらに備える、請求項２に記載の携帯型及び／又は装着型デバイス。
【請求項１４】
毒素及び／又は病原体に感染した個体の血液中の前記毒素及び／又は病原体を生体外で低減する方法であって、
ａ）  吸着媒体を備えるデバイスへ前記個体から血液を流し、前記吸着媒体及び前記血液中の毒素及び／又は病原体が接着複合体を形成すること、
ｂ）  前記接着複合体から前記血液を分離して前記毒素及び／又は病原体が低減した血液を生成すること、及び
ｃ）  前記毒素及び／又は病原体が低減した血液を前記個体へ注入すること、を含む方法。
【請求項１５】
請求項１に記載の前記デバイス及び取扱説明書を備えるキット。
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
鋭利な金属先端の第１のアレイを提供するステップと、
前記鋭利な金属先端の前記第１のアレイに嵌合するのに適した寸法の中空の鋭利な先端のアレイとして形成されたチタンシートを提供するステップと、
前記鋭利な金属先端の前記第１のアレイの先端が前記チタンシートの前記中空の鋭利な先端に挿入されるように、前記チタンシートを前記鋭利な金属先端の前記第１のアレイに配置するステップと、
前記チタンシートを前記鋭利な金属先端の前記第１のアレイに取り付けるステップ
を含む生体適合性コーティングで覆った鋭利な金属先端のアレイを製造する方法。
【請求項２】
前記鋭利な金属先端は、５０〜２５０ミクロンの範囲の外側の遠位先端の幅を有する請求項１に記載の方法。
【請求項３】
前記チタンシートは、焼結によって製造される請求項１または２に記載の方法。
【請求項４】
前記チタンシートは機械加工によって製造される請求項１または２に記載の方法。
【請求項５】
前記生体適合性コーティングは、前記鋭利な先端の前記鋭利な端部において、前記鋭利な先端の前記より広い部分よりも少なくとも２倍だけ厚い請求項１〜４のいずれか一項に記載の方法。
【請求項６】
前記先端は５０〜２００ミクロンの範囲の曲率半径を有する請求項１〜５のいずれか一項に記載の方法。
【請求項７】
加熱された先端を皮膚内に進ませることによって前記皮膚にクレーターを作り出すためのシステムであって、前記加熱された先端が、前記進ませることに対する機械的な抵抗の変化を検出することで、前記皮膚と接触するときを検出するためのモジュールを含むシステム。
【請求項８】
皮膚にクレーターを作り出すのに適した温度に前記先端を加熱するヒーターと、
前記先端を前記皮膚に向かって進ませるモーターと、を更に含み、
前記モジュールは、前記進ませることに対する機械的抵抗の変化を検出することによって前記先端が前記皮膚に接触するときを検出し、前記進ませることに対する前記機械的抵抗を測定する請求項７に記載のシステム。
【請求項９】
前記先端を前記皮膚内に進ませるための電気モーターを更に備え、加熱された前記先端が前記皮膚に接触するときを検出する前記モジュールは、前記電気モーターへの駆動電流の変化を検出することによって機械的抵抗の変化を検出するように構成されている請求項８に記載のシステム。
【請求項１０】
前記電気モーターは、リニアモーターである請求項９に記載のシステム。
【請求項１１】
前記非コーティング材は、銅、ステンレス鋼、チタン、金、ニッケルおよびタングステンからなる群から選択される材料を含む請求項７〜１０のいずれか一項に記載のシステム。
【請求項１２】
組織の機械的コンプライアンスを評価することと、
前記評価の結果に対応する入力を制御器に提供することと、を更に含み、
前記制御器は、前記組織に前記先端を前記検出した以上に特定の距離進めることを制御し、
前記特定の距離は、前記評価の結果に少なくとも部分的に基づいて前記制御器によって判定される請求項７〜１１のいずれか一項に記載のシステム。
【請求項１３】
前記先端は組織を加熱および治療するための鋭利な先端のアレイを備え、
前記アレイは、
共通ベースによって接続された複数の鋭利な先端と、
前記鋭利な先端の遠位先端に配置された生体適合性コーティングと
を含み、
前記生体適合性コーティングは、前記鋭利な先端のより広い部分よりも、前記鋭利な先端の前記遠位先端で、より厚さを有する、請求項７〜１２のいずれか一項に記載のシステム。
【請求項１４】
前記生体適合性コーティングは、前記鋭利な先端のより広いベースよりも前記鋭利な先端の鋭利な端部における方が厚い請求項１３に記載のシステム。
【請求項１５】
前記生体適合性コーティングは、４００〜５２０℃の温度で少なくとも２０分間の持続時間で生体適合性を維持するように設計される請求項１３または１４に記載のシステム。
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
患者の身体内の選択された部位への流体媒体の注入の少なくとも一部の分流から得られる流体媒体を収集し再使用するためのシステムであって、
無菌媒体コンテナと、
注入シリンジと媒体送出カテーテルとの間の流体媒体流路内に配設されたフローダイバータアセンブリであって、注入中に、前記シリンジと前記送出カテーテルとの間の前記媒体流路から、流体媒体注入の少なくとも一部分を分流させるように構成される、フローダイバータアセンブリと、
前記フローダイバータアセンブリから前記流体媒体の前記分流された部分を受け取るためのリザーバチャンバ及び前記無菌媒体コンテナに対する流体カップリングを有するダイバージョンリザーバと
を備え、前記ダイバージョンリザーバは、前記無菌媒体コンテナ内の媒体の使用を可能にする前に、前記リザーバチャンバ内の前記分流された媒体の再使用を優先的に可能にするように構成されるシステム。
【請求項２】
請求項１記載のシステムであって、
前記ダイバージョンリザーバは、前記リザーバチャンバ内の表面に対して配設された力要素を更に備えて、前記リザーバチャンバ内で前記流体媒体に対して前記表面を押圧するシステム。
【請求項３】
請求項１記載のシステムであって、
前記表面は、前記リザーバチャンバ内で前記流体媒体に対して直線方向に移動可能であるシステム。
【請求項４】
請求項１記載のシステムであって、
前記表面は平面であるシステム。
【請求項５】
請求項１記載のシステムであって、
前記リザーバチャンバ内の前記表面は弾性表面であるシステム。
【請求項６】
請求項５記載のシステムであって、
前記リザーバチャンバは、弾性ブラダーを備え、前記表面は前記弾性ブラダーの壁によって規定されるシステム。
【請求項７】
請求項１記載のシステムであって、
前記流体カップリングは、前記ダイバージョンリザーバと前記無菌媒体コンテナとの間に配設された媒体供給導管であって、前記ダイバージョンリザーバと前記無菌媒体コンテナに流体結合した媒体供給導管であるシステム。
【請求項８】
請求項１記載のシステムであって、
ダイバージョン供給導管が、前記ダイバージョンリザーバと前記フローダイバータアセンブリとの間に配設され、前記ダイバージョンリザーバと前記フローダイバータアセンブリに流体結合して、前記フローダイバータアセンブリからの前記流体媒体の前記分流された部分を前記ダイバージョンリザーバに供給するシステム。
【請求項９】
請求項７記載のシステムであって、
前記媒体供給導管は、前記供給導管から前記無菌媒体コンテナに入る流体媒体の流れを防止するチェックバルブを備えるシステム。
【請求項１０】
請求項７記載のシステムであって、
前記媒体供給導管の少なくとも一部分は、前記リザーバチャンバ内に存在し、更には、貫通する１つ又は複数のアパーチャを備えて、前記供給導管を、前記リザーバチャンバと流体連通状態で配置し、
前記リザーバチャンバは前記供給導管の周りに配設された弾性ブラダーを備え、
前記表面は、前記弾性ブラダーの壁によって部分的に規定されるシステム。
【請求項１１】
請求項１０記載のシステムであって、
前記ダイバージョンリザーバの周りに配設されたハウジングを更に備えるシステム。
【請求項１２】
請求項１１記載のシステムであって、
前記ハウジングは透明であるシステム。
【請求項１３】
請求項８記載のシステムであって、
前記ダイバージョン供給導管は、チェックバルブを備え、前記ダイバージョンリザーバから前記フローダイバータアセンブリに入る流体媒体の流れを防止するシステム。
【請求項１４】
患者の身体内の選択された部位への流体媒体の注入の少なくとも一部の分流から得られる流体媒体を収集し再使用するための方法であって、
注入シリンジと媒体送出カテーテルとの間の流体媒体流路内に配設されるフローダイバータアセンブリを設けることであって、注入中に、前記シリンジと前記送出カテーテルとの間の前記媒体流路から、流体媒体注入の少なくとも一部分を分流させるように構成されるフローダイバータアセンブリを設けることと、
前記注入シリンジによって、前記患者の身体内の選択された部位に媒体を注入することと、
同時に、前記流体媒体の少なくとも一部分を、前記フローダイバータアセンブリを通じてダイバージョンリザーバに入るように分流させることと
を含み、前記ダイバージョンリザーバは無菌媒体コンテナに流体結合され、前記ダイバージョンリザーバは、前記無菌媒体コンテナ内の媒体の使用を可能にする前に、前記ダイバージョンリザーバのリザーバチャンバ内の前記分流された媒体の再使用を優先的に可能にするように構成され、
前記注入される媒体の少なくとも一部分は、前記リザーバチャンバに前もって存在する方法。
【手続補正書】
【提出日】平成30年2月23日(2018.2.23)
【手続補正１】
【補正対象書類名】明細書
【補正対象項目名】０００７
【補正方法】変更
【補正の内容】
【０００７】
さらに、前記支持装置は異なる要素から成るため特段に複雑化している。前記ジョイントの複雑さとそれを機械加工するのに求められる精度を考慮すると、この構造設計および前記装置の組み立ては複雑なものになってしまうのである。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  英国特許出願公開第３１５４２５号明細書
（特許文献２）  国際公開第２００７／１４８３６４号
（特許文献３）  米国特許出願公開第２００９／２１１５３３号明細書
（特許文献４）  米国特許出願公開第２０１１／０５６４３７号明細書
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
ａ）式（Ｉ）：ＶＨ−ＣＨ１−ＣＨ２−ＣＨ３−Ｘ−（Ｖ１）ｐのポリペプチド鎖；および
ｂ）式（ＩＩ）：ＶＬ−ＣＬ−Ｙ−（Ｖ２）ｑのポリペプチド鎖
を含む、またはからなる多重特異性抗体分子であって、
ここで、ＶＨは、重鎖可変ドメインを表し；
ＣＨ１は、重鎖定常領域のドメイン、例えば、そのドメイン１を表し；
ＣＨ２は、重鎖定常領域のドメイン、例えば、そのドメイン２を表し；
ＣＨ３は、重鎖定常領域のドメイン、例えば、そのドメイン３を表し；
Ｘは、結合またはリンカーを表し；
Ｙは、結合またはリンカーを表し；
Ｖ１は、ｄｓＦｖ、ｓｄＡｂ、ｄｓｓｃＦｖ、またはｓｃＦｖを表し；
ＶＬは、可変ドメイン、例えば、軽鎖可変ドメインを表し；
ＣＬは、定常領域からのドメイン、例えば、Ｃκなどの軽鎖定常領域ドメインを表し；
Ｖ２は、ｄｓＦｖ、ｓｄＡｂ、ｄｓｓｃＦｖ、またはｓｃＦｖを表し；
ｐは、０または１を表し；
ｑは、０または１を表し；
ここで、ｐまたは１の少なくとも１つは、１であり、および
ここで、Ｖ１またはＶ２の少なくとも１つは、ｄｓＦｖでり、および
Ｖ１がｄｓＦｖであり、ｐが１であり、ｑが０である場合、該分子は、式（Ｉ）の２つの重鎖および式（ＩＩ）の２つの関連する軽鎖を有する二量体として提供される、上記多重特異性抗体分子。
【請求項２】
ｐが１である、請求項１に記載の多重特異性抗体分子。
【請求項３】
ｑが０である、請求項１または２に記載の多重特異性抗体分子。
【請求項４】
ｑが１である、請求項１または２に記載の多重特異性抗体分子。
【請求項５】
Ｖ２がｄｓＦｖである、請求項１または４のいずれか一項に記載の多重特異性抗体分子。
【請求項６】
Ｖ２がｄｓｓｃＦｖである、請求項１または４のいずれか一項に記載の多重特異性抗体分子。
【請求項７】
Ｖ１がｄｓＦｖである、請求項１または６のいずれか一項に記載の多重特異性抗体分子。
【請求項８】
Ｖ１がｄｓｓｃＦｖである、請求項１または６のいずれか一項に記載の多重特異性抗体分子。
【請求項９】
Ｘがペプチドリンカー、例えば、配列番号１または配列番号２の配列である、請求項１〜８のいずれか一項に記載の多重特異性抗体分子。
【請求項１０】
Ｘが結合である、請求項１〜８のいずれか一項に記載の多重特異性抗体分子。
【請求項１１】
Ｙがペプチドリンカー、例えば、配列番号１または配列番号２の配列である、請求項１〜１０のいずれか一項に記載の多重特異性抗体分子。
【請求項１２】
Ｙが結合である、請求項１〜１０のいずれか一項に記載の多重特異性抗体分子。
【請求項１３】
Ｖ１および／またはＶ２の可変領域内ジスルフィド結合は、独立して、ＶＨ３７およびＶＬ９５、ＶＨ４４およびＶＬ１００、ＶＨ４４およびＶＬ１０５、ＶＨ４５およびＶＬ８７、ＶＨ１００およびＶＬ５０、ＶＨ１００ｂおよびＶＬ４９、ＶＨ９８およびＶＬ４６、ＶＨ１０１およびＶＬ４６、ＶＨ１０５およびＶＬ４３およびＶＨ１０６およびＶＬ５７を含む、またはからなる群から選択され、ここで、ＶＨおよびＶＬ値は、独立して、所定のＶ１またはＶ２内で、例えば、ＶＨ４４およびＶＬ１００である、請求項１〜１２のいずれか一項に記載の多重特異性抗体分子。
【請求項１４】
Ｖ１および／またはＶ２における可変領域内ジスルフィド結合は、位置ＶＨ４４およびＶＬ１００である、請求項１３に記載の多重特異性抗体分子。
【請求項１５】
請求項１〜１４のいずれか一項に記載の多重特異性抗体分子またはそのポリペプチド鎖をコードするポリヌクレオチド。
【請求項１６】
請求項１５で定義されるポリヌクレオチドを含むベクター。
【請求項１７】
それぞれ請求項１４または１５のベクターまたはポリヌクレオチドを含む宿主細胞。
【請求項１８】
請求項１〜１４のいずれか一項に記載の多重特異性抗体分子の異なるポリペプチド鎖をコードするポリヌクレオチドを各々含む３つのベクターを含む宿主細胞。
【請求項１９】
請求項１７または１８で定義される宿主細胞からの多重特異性抗体分子を発現することを含む方法。
【請求項２０】
請求項１〜１４のいずれか一項に記載の多重特異性抗体分子および少なくとも１つの賦形剤を含む医薬組成物。
【請求項２１】
治療に使用するための請求項１〜１４のいずれか一項に記載の多重特異性抗体分子または請求項２０に記載の医薬組成物。
【請求項２２】
請求項１〜１４のいずれか一項に記載の多重特異性抗体分子または請求項２０に記載の医薬組成物の治療有効量を投与することを含む、それを必要とする患者を治療する方法。